(57)【要約】【課題】レンジフードを小型化しつつ、シロッコファンを容易に取り外し可能な排気ユニットを提供する。【解決手段】建築物の壁面から離れて設置された対面式キッチンの上方に設けられるレンジフードと、一端が前記レンジフードに接続された排気ダクトと、前記排気ダクトの他端に接続されたファンボックスと、前記レンジフードから前記ファンボックスに向けた空気の流れを形成するためのシロッコファンと、前記ファンボックス内に収納され、前記シロッコファンが着脱可能に取り付けられ、前記シロッコファンにより送られた空気を前記建築物の壁面に設けられた排気口へ導くためのファンケーシングと、を備えた排気ユニットであって、前記ファンボックスは、前記対面式キッチンに対して調理スペースを挟んだ向かい側に設けられ、  前記ファンボックスの側面又は下面に、前記シロッコファンを前記ファンボックス内から取り出すための開口部が設けられる。【選択図】図１
2020060307.tif 000002
【特許請求の範囲】
【請求項１】
建築物の壁面から離れて設置された対面式キッチンの上方に設けられるレンジフードと、
一端が前記レンジフードに接続された排気ダクトと、
前記排気ダクトの他端に接続されたファンボックスと、
前記レンジフードから前記ファンボックスに向けた空気の流れを形成するためのシロッコファンと、
前記ファンボックス内に収納され、前記シロッコファンが着脱可能に取り付けられ、前記シロッコファンにより送られた空気を前記建築物の壁面に設けられた排気口へ導くためのファンケーシングと、
を備え、
前記ファンボックスは、前記対面式キッチンに対して調理スペースを挟んだ向かい側に設けられ、
前記ファンボックスの側面又は下面に、前記シロッコファンを前記ファンボックス内から取り出すための開口部が設けられた排気ユニット。
【請求項２】
前記シロッコファンは、その回転軸方向において前記排気ダクトの少なくとも一部と対向するように設けられる請求項１記載の排気ユニット。
【請求項３】
前記シロッコファンは、前記排気ダクトと前記シロッコファンとを結ぶ第１方向に向けて移動させることで、前記ファンケーシングに対して着脱可能であり、
前記ファンボックス内において、前記シロッコファンが前記ファンケーシングに取り付けられる位置と前記排気ダクトとの間には空間が設けられ、
前記空間の前記第１方向の寸法は、前記シロッコファンの前記第１方向の寸法よりも長く、
前記開口部は、前記ファンボックスの側面又は下面のうち、前記排気ダクトが接続される面と異なる面に設けられた請求項２記載の排気ユニット。
【請求項４】
前記ファンケーシングに取付けられた前記シロッコファンの取り外しを容易とする取り外し容易手段をさらに備えた請求項３記載の排気ユニット。
【請求項５】
前記取り外し容易手段は、
前記シロッコファンと前記ファンケーシングとを互いに固定するためのロック機構と、
前記シロッコファンに設けられたロック解除部と、
を有し、
前記ロック解除部を操作することで、前記ロック機構が解除され、前記ファンケーシングから前記シロッコファンを取り外し可能となる請求項４記載の排気ユニット。
【請求項６】
前記シロッコファンは、その回転軸が前記第１方向に対して前記開口部に向けて傾斜するように設けられる請求項５記載の排気ユニット。
【請求項７】
前記ファンボックスの複数の面に、それぞれ前記開口部が設けられた請求項１〜５のいずれか１つに記載の排気ユニット。
【発明の詳細な説明】
【技術分野】
【０００１】
本発明の態様は、一般的に、排気ユニットに関する。
【背景技術】
【０００２】
従来、ファンが内蔵されたファンボックスを有するレンジフードが知られている。例えば、特許文献１では、加熱調理器の上方に設けられた吸気ユニットと一体として構成された、ファンが内蔵されたファンボックスを有するレンジフードが記載されている。
【先行技術文献】
【特許文献】
【０００３】
【特許文献１】特開２０１５−９４４８３号公報
【発明の概要】
【発明が解決しようとする課題】
【０００４】
レンジフードは、一般的に加熱調理器の上方に設置される。従って、特許文献１のようにレンジフードにファンが内蔵されていると、使用者がお手入れや交換をする際に、キッチンカウンターや加熱調理器などが障害となり、ファンをレンジフードから取り外し難い。レンジフード自体を大きくすることにより、レンジフードの下方からファンにアプローチし易くする方法も考えられるが、レンジフードの大型化やデザイン性の低下を招く。
【０００５】
本発明は、かかる課題の認識に基づいてなされたものであり、レンジフードを小型化しつつ、ファンを容易に取り外し可能な排気ユニットを提供することを目的とする。
【課題を解決するための手段】
【０００６】
第１の発明は、建築物の壁面から離れて設置された対面式キッチンの上方に設けられるレンジフードと、一端が前記レンジフードに接続された排気ダクトと、前記排気ダクトの他端に接続されたファンボックスと、前記レンジフードから前記ファンボックスに向けた空気の流れを形成するためのシロッコファンと、前記ファンボックス内に収納され、前記シロッコファンが着脱可能に取り付けられ、前記シロッコファンにより送られた空気を前記建築物の壁面に設けられた排気口へ導くためのファンケーシングと、を備え、前記ファンボックスは、前記対面式キッチンに対して調理スペースを挟んだ向かい側に設けられ、  前記ファンボックスの側面又は下面に、前記シロッコファンを前記ファンボックス内から取り出すための開口部が設けられた排気ユニットである。
【０００７】
この排気ユニットによれば、シロッコファンのお手入れや交換を行う際、キッチン本体が障害とならず、シロッコファンを容易にファンボックスから取り出すことができる。さらに、レンジフードを小型化でき、レンジフードのデザイン性を向上させることができる。
【０００８】
第２の発明は、第１の発明において、前記シロッコファンは、その回転軸方向において前記排気ダクトの少なくとも一部と対向するように設けられる排気ユニットである。
【０００９】
この排気ユニットによれば、空気が排気ダクトからシロッコファンへ流れる際の抵抗を小さくでき、排気効率を向上させることができる。
【００１０】
第３の発明は、第２の発明において、前記シロッコファンは、前記排気ダクトと前記シロッコファンとを結ぶ第１方向に向けて移動させることで、前記ファンケーシングに対して着脱可能であり、前記ファンボックス内において、前記シロッコファンが前記ファンケーシングに取り付けられる位置と前記排気ダクトとの間には空間が設けられ、前記空間の前記第１方向の寸法は、前記シロッコファンの前記第１方向の寸法よりも長く、前記開口部は、前記ファンボックスの側面又は下面のうち、前記排気ダクトが接続される面と異なる面に設けられた排気ユニットである。
【００１１】
この排気ユニットによれば、特定の面の面積が増大することを抑制でき、ファンボックスを小型化できる。
【００１２】
第４の発明は、第３の発明において、前記ファンケーシングに取付けられた前記シロッコファンの取り外しを容易とする取り外し容易手段をさらに備えた排気ユニットである。
【００１３】
この排気ユニットによれば、シロッコファンをファンケーシングから容易に取り外すことが可能である。
【００１４】
第５の発明は、第４の発明において、前記取り外し容易手段は、前記シロッコファンと前記ファンケーシングとを互いに固定するためのロック機構と、前記シロッコファンに設けられたロック解除部と、を有し、前記ロック解除部を操作することで、前記ロック機構が解除され、前記ファンケーシングから前記シロッコファンを取り外し可能となる排気ユニットである。
【００１５】
この排気ユニットによれば、簡単な操作でシロッコファンをファンボックスに着脱することが可能である。
【００１６】
第６の発明は、第５の発明において、前記シロッコファンは、その回転軸が前記第１方向に対して前記開口部に向けて傾斜するように設けられる排気ユニットである。
【００１７】
この排気ユニットによれば、使用者が開口部を通してシロッコファンをファンケーシングにより着脱し易くなる。
【００１８】
第７の発明は、第１〜第５のいずれか１つの発明において、前記ファンボックスの複数の面に、それぞれ前記開口部が設けられた排気ユニットである。
【００１９】
この排気ユニットによれば、シロッコファンを複数の方向から取り出すことが可能となる。
【発明の効果】
【００２０】
本発明の態様によれば、レンジフードを小型化しつつ、シロッコファンを容易に取り外し可能な排気ユニットが提供される。
【図面の簡単な説明】
【００２１】
【図１】実施形態に係る排気ユニットを備えたシステムキッチンを表す斜視図である。
【図２】実施形態に係る排気ユニットを備えたシステムキッチンを表す側面図である。
【図３】実施形態に係る排気ユニットの一部を表す斜視図である。
【図４】実施形態に係る排気ユニットの一部を表す斜視図である。
【図５】実施形態に係る排気ユニットの一部を表す側面図である。
【図６】実施形態に係る排気ユニットのシロッコファンを表す分解斜視図である。
【図７】実施形態に係る排気ユニットのシロッコファンの着脱動作を表す模式図である。
【図８】実施形態に係る排気ユニットの一部を表す模式的側面図である。
【図９】実施形態に係る排気ユニットの一部を表す斜視図である。
【発明を実施するための形態】
【００２２】
以下、本発明の実施形態について図面を参照しつつ説明する。なお、各図面中、同様の構成要素には同一の符号を付して詳細な説明は適宜省略する。
【００２３】
図１は、実施形態に係る排気ユニットを備えたシステムキッチンを表す斜視図である。
図２は、実施形態に係る排気ユニットを備えたシステムキッチンを表す側面図である。
図１及び図２に表したように、システムキッチン１は、実施形態に係る排気ユニット２と、キッチン本体３と、を備える。システムキッチン１は、建築物５のキッチン空間ＫＳに設置して使用される。
【００２４】
キッチン本体３は、例えば、左右方向に延びた直方体状である。キッチン本体３は、正面３ａ及び背面３ｂが建築物５の壁面ＷＳから離れて位置するように、建築物５の内部に設置される。キッチン本体３は、キッチン空間ＫＳ及びリビング（ダイニング）と対面し、使用者がリビング側を向いた状態で炊事などを行えるように設置される、いわゆる対面式キッチンである。
【００２５】
以下、本願明細書においては、キッチン空間ＫＳに立ち、キッチン本体３と対面する使用者からみた上方、下方、前方、後方、右方、及び左方を、それぞれ「上方」、「下方」、「前方」、「後方」、「右方」、及び「左方」とする。前方は、換言すれば、壁面ＷＳからキッチン本体３に向かう方向である。
【００２６】
キッチン本体３は、例えば左右の両側面も建築物５の壁面ＷＳから離間させたアイランド型の対面式キッチンである。キッチン本体３は、左右方向の一方の面を建築物５の壁面に当接させたペニンシュラ型の対面式キッチンでもよい。また、キッチン本体３は、平面視においてＬ字状の対面式キッチンであってもよい。この場合、キッチン本体３の正面側の一部（Ｌ字状の部分の後端部）を後方の壁面ＷＳに当接させてもよい。また、キッチン本体３は、背面３ｂの一部を建築物５の袖壁などに当接させて設置してもよい。
【００２７】
キッチン本体３には、加熱調理器９１が設けられる。加熱調理器９１は、例えば、ガスコンロ、電気コンロ、電磁調理器などである。加熱調理器９１は、キッチン本体３に一体的に設けてもよいし、キッチン本体３と別体的に設けてもよい。加熱調理器９１以外のキッチン本体３の具体的な構成は、任意である。例えば、キッチン本体３は、図１及び図２に表したように、カウンタ９２と、シンク９３と、水栓９４と、を有する。
【００２８】
実施形態に係る排気ユニット２は、加熱調理器９１の使用にともなって生じる水蒸気、煙、臭気などを建築物５の外部に排出するために用いられる。排気ユニット２は、レンジフード１０と、排気ダクト２０と、ファンボックス３０と、を有する。
【００２９】
レンジフード１０は、キッチン本体３の上方に設けられ、例えば加熱調理器９１の直上に位置する。レンジフード１０は、建築物５の天井面ＣＳに直接的に取り付けられるか、あるいは吊りボルトなどを介して建築物５の天井面ＣＳに取り付けられる。
【００３０】
排気ダクト２０は、断面が略円形の管状の部材であり、一端がレンジフード１０に接続されている。排気ダクト２０は、建築物５の天井面ＣＳよりも下方に設けられており、支持部材２２を介して天井面ＣＳに取り付けられている。支持部材２２には、例えば、吊りボルトなどが用いられる。支持部材２２は、例えば、複数設けられる。
【００３１】
排気ダクト２０は、レンジフード１０と壁面ＷＳとを結ぶ方向（前後方向：第１方向の一例）に延びており、他端がファンボックス３０に接続されている。排気ダクト２０は、前後方向以外の左右方向又は上下方向に延びる部分を有していても良い。また、排気ダクト２０の少なくとも一部が、天井面ＣＳよりも上方に設けられていても良い。排気ダクト２０の具体的な形状や構造は、排気ダクト２０がレンジフード１０とファンボックス３０を接続して煙などを排出できれば、適宜変更可能である。
【００３２】
ファンボックス３０は、キッチン本体３に対して調理スペースを挟んだ向かい側に設けられている。なお、調理スペースとは、キッチン本体３と壁面ＷＳとの間の空間の一部であり、キッチン本体３の使用者が立ったり移動したりする空間を指す。また、図１及び図２では、アイランド型のキッチン本体３を例示したが、この場合、調理スペースには、キッチン本体３の左右の両側面と、それらの両側面に対向する建築物５の不図示の壁面と、の間の空間も含まれる。
【００３３】
ファンボックス３０は、シロッコファンを内蔵している。図１及び図２に表した例では、ファンボックス３０は、キッチン空間ＫＳに露出しているが、ウォールキャビネットや食器棚の中に収納され、使用者に対して隠蔽されていても良い。
【００３４】
図３（ａ）及び図３（ｂ）は、実施形態に係る排気ユニットの一部を表す斜視図である。
図４は、実施形態に係る排気ユニットの一部を表す斜視図である。
図３（ａ）、図３（ｂ）、及び図４では、ファンボックス３０の内部構造を示すため、ファンボックス３０を透過させて表している。
【００３５】
図３（ａ）、図３（ｂ）、及び図４に表したように、排気ユニット２は、シロッコファン４０及びファンケーシング５０をさらに有する。ファンケーシング５０は、ファンボックス３０内に収納され、ファンボックス３０に固定されている。シロッコファン４０は、ファンケーシング５０内に収納され、ファンケーシング５０に着脱可能に取り付けられている。図３（ａ）は、シロッコファン４０がファンケーシング５０に取り付けられた状態を表している。また、図３（ｂ）は、シロッコファン４０をファンケーシング５０から取り外し、ファンボックス３０から取り出すときの様子を表している。
【００３６】
シロッコファン４０が回転すると、シロッコファン４０の内側から外側に向けて空気が流れる。ファンケーシング５０に取り付けられたシロッコファン４０が回転することで、レンジフード１０からファンボックス３０に向けた空気の流れが形成される。すなわち、キッチン空間ＫＳの空気がレンジフード１０を通して吸引される。ファンケーシング５０は、シロッコファン４０により送られた空気を、建築物の壁面に設けられた排気口５１へ導く。ファンケーシング５０は、図３（ａ）に表したように、排気ダクト５２を介して排気口５１と接続されていても良いし、排気口５１と直接接続されていても良い。
【００３７】
ファンボックス３０には、開口部３１及び接続部３２が設けられている。開口部３１は、シロッコファン４０をファンボックス３０内から取り出すための穴であり、ファンボックス３０の下面又は側面に設けられる。接続部３２は、排気ダクト２０をファンボックス３０に接続するための穴であり、ファンボックス３０のいずれかの面に設けられる。図示した例では、開口部３１が下面３０ｂに設けられ、接続部３２が前面３０ａに設けられている。
【００３８】
なお、側面とは、ファンボックス３０が有する複数の面のうち、上面及び下面以外の面を指す。図示した例に限らず、開口部３１は、前面３０ａ、左面３０ｃ、又は右面３０ｄに設けられても良い。接続部３２は、下面３０ｂ、左面３０ｃ、右面３０ｄ、又は上面３０ｅに設けられても良い。また、開口部３１と接続部３２が同じ面に設けられても良い。
【００３９】
開口部３１には、例えば不図示の蓋が設けられる。シロッコファン４０を取り出すとき以外は、開口部３１は蓋により覆われる。シロッコファン４０を取り出す際、使用者は、蓋を開け、開口部３１からファンボックス３０の内部へ手を差し込む。そして、シロッコファン４０をファンケーシング５０に固定しているロック機構を解除することで、図３（ｂ）に表したように、開口部３１を通してシロッコファン４０をファンボックス３０から取り出すことができる。
【００４０】
実施形態の効果を説明する。
実施形態に係る排気ユニット２では、シロッコファン４０を収納するファンボックス３０が、レンジフード１０とは別に、対面式のキッチン本体３に対して調理スペースを挟んだ向かい側に設けられる。そして、ファンボックス３０の側面又は下面には、シロッコファン４０をファンボックス３０内から取り出すための開口部３１が設けられている。この構成によれば、調理スペースを圧迫することなくシロッコファン４０のお手入れや交換を行う際、キッチン本体３が障害とならず、シロッコファン４０を容易にファンボックス３０から取り出すことができる。さらに、ファンボックス３０がレンジフード１０とは別に設けられることで、レンジフード１０を小型化でき、レンジフード１０のデザイン性を向上させることができる。
【００４１】
なお、キッチン本体３とファンボックス３０との位置関係は、キッチン本体の前面３ａに対し、調理スペースを挟む向かい側に設けられることがより好ましい。この配置によれば、使用者がキッチン本体３を使用する際、シロッコファン４０が使用者の背面側に位置する。シロッコファン４０が使用者の背面側に位置すると、シロッコファン４０の音が使用者に聞こえ難くなり、使用者にとっての排気ユニット２の静音性を向上させることができる。
【００４２】
以下で、実施形態に係る排気ユニット２の望ましい構成について説明する。
シロッコファン４０は、図４に表した回転軸４１を中心に回転する。シロッコファン４０は、この回転軸４１に平行な回転軸方向４１Ｄにおいて、排気ダクト２０（接続部３２）の少なくとも一部と対向するように設けられることが望ましい。この構造によれば、空気が排気ダクト２０からシロッコファン４０へ流れる際の抵抗を小さくでき、排気ユニット２の排気効率を向上させることができる。
【００４３】
図４に表した例では、回転軸方向４１Ｄは前後方向に平行であり、排気ダクト２０とシロッコファン４０は前後方向において対向している。また、排気ダクト２０の中心と回転軸４１が前後方向に並んでいる。ただし、シロッコファン４０が回転軸方向４１Ｄにおいて排気ダクト２０の少なくとも一部と対向していれば、回転軸方向４１Ｄは、前後方向に対して上下方向又は左右方向に少し傾斜していても良い。また、排気ダクト２０の中心と回転軸４１が、左右方向又は上下方向においてずれていても良い。
【００４４】
より望ましくは、排気ダクト２０が延びる方向、及び排気ダクト２０とシロッコファン４０を結ぶ方向は、レンジフード１０とファンボックス３０とを結ぶ方向と実質的に平行である。この構造によれば、レンジフード１０とファンボックス３０を接続する排気ダクト２０の長さをより短くし、且つ空気がレンジフード１０からシロッコファン４０へ流れる際の抵抗をより小さくできる。
また、このようにすることにより、排気ダクト２０をキッチン本体３の上方で引き回す必要がなく、キッチン本体３の上方にスペースを確保することが可能となり、キッチン本体３の使い勝手や排気ユニット２のデザイン性が向上する。
【００４５】
図５は、実施形態に係る排気ユニットの一部を表す側面図である。
開口部３１と接続部３２は、同じ面に設けられても良いが、ファンボックス３０の小型化のために、互いに異なる面に設けられることが望ましい。例えば、図４に表したように、ファンボックス３０の前面３０ａに接続部３２が設けられる場合、開口部３１は、下面３０ｂ、左面３０ｃ、又は右面３０ｄに設けられることが望ましい。
【００４６】
開口部３１と接続部３２を同じ面に設けると、その面の面積を大きくする必要がある。特に、上述したように排気ダクト２０とシロッコファン４０を対向させる場合、接続部３２の位置の制約から面積はさらに増大する。開口部３１と接続部３２を互いに異なる面に設けることで、特定の面の面積が増大することを抑制でき、ファンボックス３０を小型化できる。
【００４７】
開口部３１が、ファンボックス３０の面のうちシロッコファン４０と対向する面以外に設けられる場合、ファンボックス３０の内部には、図５に表したようにシロッコファン４０を取り出すための空間ＳＰが設けられる。図示した例では、シロッコファン４０をファンケーシング５０に対して前後方向に移動させることで、シロッコファン４０がファンケーシング５０に着脱される。空間ＳＰの前後方向の寸法Ｄ２は、シロッコファン４０の前後方向の寸法Ｄ１よりも長い。これにより、シロッコファン４０をファンケーシング５０から取り外して空間ＳＰに移動させた後、開口部３１を通してファンボックス３０から取り出すことができる。
【００４８】
また、排気ユニット２は、ファンケーシング５０に取り付けられたシロッコファン４０の取り外しを容易とする、取り外し容易手段を有することが望ましい。取り外し容易手段を有することで、シロッコファン４０をファンケーシング５０から容易に取り外せるようになる。
【００４９】
具体的には、取り外し容易手段は、シロッコファン４０をファンケーシング５０に固定するためのロック機構と、シロッコファン４０に設けられたロック解除部と、を有する。ロック解除部を操作することで、ロック機構が解除され、ファンケーシング５０からシロッコファン４０を取り外すことができる。
【００５０】
図６は、実施形態に係る排気ユニットのシロッコファンを表す分解斜視図である。
図６に表したように、シロッコファン４０は、回転部材４２と、収容部材４３と、ガイド部材４４と、操作レバー部材４５と、付勢部材４６と、を有する。
【００５１】
シロッコファン４０は、回転軸４１に連結される。回転軸４１が不図示のモータにより回転されると、シロッコファン４０が回転する。また、回転軸４１の下端部４１ａは、下方に向かうほど径が短くなっている。下端部４１ａの上には、下端部４１ａに隣接して、後述する操作レバー部材４５が係止される係止溝４１ｂが設けられている。
【００５２】
回転部材４２は、環状に配列された多数の羽根４２ａと、その内側に設けられた開口４２ｂと、を有する。回転部材４２が回転すると、開口４２ｂを通して羽根４２ａの内側に空気が吸い込まれ、羽根４２ａの周りに空気が送られる。
【００５３】
収容部材４３は、ガイド部材４４、操作レバー部材４５、及び付勢部材４６を収容するものであり、回転部材４２に固定されて。ガイド部材４４は、収容部材４３の内部に固定される。ガイド部材４４の上面には、操作レバー部材４５を摺動可能に保持する所定の幅を有する下方に凹んだガイド溝４４ａが形成されている。操作レバー部材４５は、このガイド溝４４ａに沿って回転軸４１の軸方向に対して垂直方向に摺動することができる。
【００５４】
操作レバー部材４５は、押圧部４５ａ及び付勢受け部４５ｂを有する。押圧部４５ａは上方に突出するように折り曲げられ、この突出した押圧部４５ａを使用者が指等で押圧可能となっている。付勢受け部４５ｂは、付勢部材４６により加えられる力を受けるように構成されている。押圧部４５ａが使用者によって、付勢部材４６の付勢力を上回る所定以上の押圧力で押圧されると、操作レバー部材４５がガイド部材４４のガイド溝４４ａに沿って回転軸４１の軸方向に対して垂直方向内側に摺動し、収容部材４３の内側へ押し込まれるようになっている。
【００５５】
付勢部材４６は、操作レバー部材４５の上方に設けられている。操作レバー部材４５は、ガイド部材４４と付勢部材４６との間に摺動可能に挟み込まれる。付勢部材４６の内側端部は下方に折り曲げられており、この下方に折り曲げられた部分には、板ばね４６ａが設けられている。板ばね４６ａは、操作レバー部材４５がガイド部材４４と付勢部材４６との間に組み込まれた状態で操作レバー部材４５の付勢受け部４５ｂに当接する。
【００５６】
回転部材４２、ガイド部材４４、操作レバー部材４５、及び付勢部材４６には、それぞれ、挿入孔４２ｄ、挿入孔４４ｄ、挿入孔４５ｄ、及び挿入孔４６ｄが設けられている。シロッコファン４０が回転軸４１に取り付けられると、挿入孔４２ｄ、挿入孔４４ｄ、挿入孔４５ｄ、及び挿入孔４６ｄに回転軸４１が挿入される。
【００５７】
図７（ａ）〜図７（ｄ）は、実施形態に係る排気ユニットのシロッコファンの着脱動作を表す模式図である。
図７（ａ）〜図７（ｃ）は、シロッコファン４０を回転軸４１に取り付けるときの様子を表している。図７（ａ）に表したように、操作レバー部材４５の挿入孔４５ｄの形状は、卵形を呈している。換言すると、挿入孔４５ｄは、操作レバー部材４５の摺動方向及び回転軸４１の軸方向に対して垂直方向において、径が長い部分と径が短い部分を有する。
【００５８】
シロッコファン４０を回転軸４１に取り付ける際、回転軸４１の下端部４１ａは、回転軸方向において、挿入孔４５ｄの径が短い部分と対向する。当該部分の径は、下端部４１ａの下部の径よりも長いが、下端部４１ａの上部の径よりも短い。従って、回転軸４１の下端部４１ａが挿入孔４５ｄに挿入されると、下端部４１ａの上部が、挿入孔４５ｄの外縁に接触する。
【００５９】
下端部４１ａが挿入孔４５ｄの外縁に接触すると、回転軸４１から操作レバー部材４５へ、付勢部材４６による付勢力と反対方向の力が加えられる。これにより、操作レバー部材４５が矢印αで示す方向に移動していき、下端部４１ａと挿入孔４５ｄの径が長い部分とが重なる。当該部分の径は、下端部４１ａの上部の径よりも長い。従って、図７（ｂ）に表したように、下端部４１ａの全体が、挿入孔４５ｄに挿通される。
【００６０】
また、下端部４１ａの上部には、下端部４１ａに隣接して係止溝４１ｂが設けられている。係止溝４１ｂの径は、下端部４１ａの上部の径よりも短い。従って、下端部４１ａの全体が挿入孔４５ｄに通されると、回転軸４１から操作レバー部材４５へ加えられる力が弱まり、付勢部材４６からの付勢力により、操作レバー部材４５が矢印βで示す方向に移動する。これにより、図７（ｃ）に表したように、挿入孔４５ｄの径が短い部分が係止溝４１ｂに嵌まり、回転軸４１に操作レバー部材４５（シロッコファン４０）が固定される。
【００６１】
シロッコファン４０を回転軸４１から取り外す際、使用者は、操作レバー部材４５を矢印αで示す方向に移動させる。これにより、挿入孔４５ｄの径が長い部分と回転軸４１とが回転軸方向において対向し、シロッコファン４０を回転軸４１から取り外し可能な状態となる。この状態のまま、シロッコファン４０を回転軸方向に移動させることで、シロッコファン４０を回転軸４１から取り外すことができる。
【００６２】
すなわち、図６及び図７に表した例では、ガイド部材４４、操作レバー部材４５、及び付勢部材４６がロック機構として機能し、操作レバー部材４５がロック解除部として機能する。図６及び図７に表した構造によれば、簡単な操作でシロッコファン４０を回転軸４１（ファンボックス５０）に着脱することができる。
【００６３】
図８は、実施形態に係る排気ユニットの一部を表す模式的側面図である。
図８に表したように、排気ダクト２０とシロッコファン４０とが対向する場合において、シロッコファン４０の回転軸方向４１Ｄは、排気ダクト２０とシロッコファン４０とを結ぶ方向Ｄ（図示した例では前後方向）に対して開口部３１に向けて傾斜しても良い。シロッコファン４０が開口部３１に向けて傾斜することで、使用者が開口部３１を通してシロッコファン４０を着脱し易くなる。
【００６４】
図９は、実施形態に係る排気ユニットの一部を表す斜視図である。
図９に表したように、シロッコファン４０を取り出すための開口部３１は、ファンボックス３０の複数の面に設けられていても良い。ファンボックス３０の複数の面にそれぞれ開口部３１が設けられることで、シロッコファン４０を複数の方向から取り出すことが可能となる。
【００６５】
また、接続部３２の形状は、開口部３１の形状と同じであっても良い。この場合、排気ダクト２０は、両端の形状が互いに異なる連結部材２１を介して、接続部３２と接続される。連結部材２１は、互いに形状が異なる排気ダクト２０と接続部３２を接続するために設けられる。開口部３１と接続部３２を同じ形状にすることで、排気ユニット２が設けられる環境に応じて、開口部３１として用いる穴と接続部３２として用いる穴を適宜選択できるようになる。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、システムキッチン１、排気ユニット２、キッチン本体３などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１ システムキッチン、  ２ 排気ユニット、  ３ キッチン本体、  ３ａ 正面、  ３ｂ 背面、  ５ 建築物、  １０ レンジフード、  ２０ 排気ダクト、  ２１ 連結部材、  ２２ 支持部材、  ３０ ファンボックス、  ３０ａ 前面、  ３０ｂ 下面、  ３０ｃ 左面、  ３０ｄ 右面、  ３０ｅ 上面、  ３１ 開口部、  ３２ 接続部、  ４０ シロッコファン、  ４１ 回転軸、  ４１Ｄ 回転軸方向、  ４１ａ 下端部、  ４１ｂ 係止溝、  ４２ 回転部材、  ４２ａ 羽根、  ４２ｂ 開口、  ４２ｄ 挿入孔、  ４３ 収容部材、  ４４ ガイド部材、  ４４ａ ガイド溝、  ４４ｄ 挿入孔、  ４５ 操作レバー部材、  ４５ａ 押圧部、  ４５ｂ 付勢受け部、  ４５ｄ 挿入孔、  ４６ 付勢部材、  ４６ｄ 挿入孔、  ５０ ファンケーシング、  ５１ 排気口、  ５２ 排気ダクト、  ９１ 加熱調理器、  ９２ カウンタ、  ９３ シンク、  ９４ 水栓、  α、β 矢印、  ＣＳ 天井面、  Ｄ 方向、  Ｄ１、Ｄ２ 寸法、  Ｄ２ 寸法、  ＫＳ キッチン空間、  ＳＰ 空間、  ＷＳ 壁面
【図１】
2020060307.tif 000003
【図２】
2020060307.tif 000004
【図３】
2020060307.tif 000005
【図４】
2020060307.tif 000006
【図５】
2020060307.tif 000007
【図６】
2020060307.tif 000008
【図７】
2020060307.tif 000009
【図８】
2020060307.tif 000010
【図９】
2020060307.tif 000011